(57)【要約】【課題】トナーのリフレッシュ動作などによる印刷媒体の無駄な消費を抑えて印刷効率を向上させる。【解決手段】トナーを使用して印刷媒体に複数回の印字を行ってユーザ画像１１１、１２１、１３１を形成させる画像形成部と、画像形成部で印刷媒体上に形成された画像１１１、１２１、１３１を検品する検品部とを備える。画像形成部は、検品部で不良を検出した場合に、その不良を検出した印刷媒体の該当箇所への、画像形成部での次回以降の印字時に、ユーザ画像以外の別の画像１４１、１４２、１４３を印字するようにした。【選択図】図４
2020170133.tif 000002
【特許請求の範囲】
【請求項１】
トナーを使用して印刷媒体に複数回の印字を行ってユーザ画像を形成させる画像形成部と、
前記画像形成部で前記印刷媒体上に形成された画像を検品する検品部と、を備え、
前記画像形成部は、前記検品部で不良を検出した場合に、その不良を検出した印刷媒体の該当箇所への、前記画像形成部での次回以降の印字時に、前記ユーザ画像以外の別の画像を印字する
画像形成装置。
【請求項２】
前記別の画像は、前記検品部での検品で不良となったことを明示する画像である
請求項１に記載の画像形成装置。
【請求項３】
前記別の画像は、前記画像形成部で滞留したトナーを消費するための画像である
請求項１に記載の画像形成装置。
【請求項４】
印刷媒体の搬送経路に直列に配置され、それぞれ異なる色のトナーを使用して印刷媒体に印字を行ってユーザ画像を形成させる複数の画像形成装置と、
前記複数の画像形成装置で前記印刷媒体上に形成された画像を検品する少なくとも１つの検品装置と、を備え、
前記検品装置で不良を検出した場合に、その不良を検出した印刷媒体の該当箇所への次段以降の画像形成装置での印字時に、前記ユーザ画像以外の別の画像を印字する
画像形成システム。
【請求項５】
前記別の画像は、前記検品装置での検品で不良となったことを明示する画像である
請求項４に記載の画像形成システム。
【請求項６】
前記別の画像は、前記別の画像を印字させる前記画像形成装置で滞留したトナーを消費するための画像である
請求項４に記載の画像形成システム。
【請求項７】
前記印刷媒体はロール紙であり、
前記別の画像は、前記ロール紙を断裁する際の切り取り線を含むようにした
請求項４に記載の画像形成システム。
【請求項８】
前記印刷媒体はロール紙であり、
さらに、前記複数の画像形成装置でのトナーの消費量に基づいて、トナーのリフレッシュ動作を実行するまでのロール紙の連続印刷距離を演算するコントローラを備え、
前記コントローラは、トナーを消費するための前記別の画像の印字で、前記リフレッシュ動作を実行するまでのロール紙の連続印刷距離を延長する演算を行う
請求項４に記載の画像形成システム。
【請求項９】
さらに、前記コントローラが演算した前記リフレッシュ動作を実行するまでのロール紙の連続印刷距離を表示する表示装置を備える
請求項８に記載の画像形成システム。
【請求項１０】
前記表示装置は、印刷ジョブ全体での連続印刷距離と、印刷中断回数を表示する
請求項９に記載の画像形成システム。
【請求項１１】
前記コントローラは、前記検品装置での検品で不良が発生する不良発生率を推定し、推定した不良発生率に基づいた連続印刷距離及び印刷中断回数を予測し、前記表示装置が予測した連続印刷距離及び印刷中断回数を表示する
請求項１０に記載の画像形成システム。
【請求項１２】
さらに、前記コントローラ又は前記画像形成装置とネットワークを介して接続されたサーバを有し、
前記サーバは、前記検品装置での検品で不良が発生する不良発生率を推定し、推定した不良発生率に基づいた連続印刷距離及び印刷中断回数を予測し、
前記サーバが予測した連続印刷距離及び印刷中断回数を前記表示装置が表示する
請求項１０に記載の画像形成システム。
【請求項１３】
前記コントローラは、連続印刷距離を延長する演算を行った場合に、前記リフレッシュ動作を実行する回数の変化の有無に基づいて、該当する連続印刷距離の延長の可否を判断する
請求項８に記載の画像形成システム。
【請求項１４】
前記コントローラは、連続印刷距離を延長する演算を行った場合に、算出された延長量が設定された閾値以下であるとき、連続印刷距離の延長を実行しない
請求項８に記載の画像形成システム。
【請求項１５】
前記コントローラがロール紙の連続印刷距離を延長する演算を行う場合には、前記ロール紙の印字設定領域の印字率に基づいて演算する
請求項８に記載の画像形成システム。
【請求項１６】
前記検品装置で不良を検出した場合に印字する前記別の画像は、不良を検出した領域を複数に分割した分割領域ごとに、トナー消費帯の印字の有無を設定する
請求項４に記載の画像形成システム。
【請求項１７】
トナーを使用して印刷媒体に複数回の印字を行ってユーザ画像を形成させる画像形成処理と、
前記画像形成処理で前記印刷媒体上に形成された画像を検品する検品処理と、
前記検品処理で不良を検出した場合に、その不良を検出した印刷媒体の該当箇所への、前記画像形成処理による次回以降の印字時に、前記ユーザ画像以外の別の画像を印字させる制御処理と、を含む
画像形成方法。
【発明の詳細な説明】
【技術分野】
【０００１】
本発明は、画像形成装置、画像形成システム及び画像形成方法に関する。
【背景技術】
【０００２】
画像形成装置として、ロール紙などに連続印刷するものが開発されている。画像形成時にトナーを使用する画像形成装置の場合、ロール紙などへの連続印刷時には、画像の印字率が低いと、古いトナーが装置内に滞留して劣化し、かぶりやトナー飛散などの印字不良が発生する。
【０００３】
このため、連続印刷が可能な画像形成装置の場合には、ある程度の距離の印字を行った後、印字動作を一時停止して、トナーのリフレッシュ動作を行うようにしている。リフレッシュ動作後には印字を再開するが、画像形成装置を一時停止した場合、再開時にある程度の距離の空白部が発生してしまう。ロール紙に空白部が生じると、印刷後に該当する空白箇所を切断して除去し、切断されたロール紙を接合する作業が必要であり、非常に手間がかかる作業が必要であった。
【０００４】
したがって、連続印刷時にトナーのリフレッシュ動作を行う回数は、極力少ない方が好ましいが、印刷される画像の品質を保つために、ある程度の距離の印字を行うごとにリフレッシュ動作をする必要がある。
【０００５】
特許文献１には、画像形成装置において、ユーザが印字したい画像（ユーザ画像）の領域外（例えば用紙の縁の近傍）にトナー消費帯を印字し、強制的にトナーを消費させてトナーの劣化を防ぐ技術が記載されている。
【先行技術文献】
【特許文献】
【０００６】
【特許文献１】特許第５７４１６５６号公報
【発明の概要】
【発明が解決しようとする課題】
【０００７】
特許文献１に記載されているように、トナー消費帯と称される印字箇所を設けて、強制的にトナーを消費させることで、印字率が低いユーザ画像を印字する場合でも、トナーのリフレッシュ動作を行う回数を減らすことが可能になる。
しかしながら、例えばロール紙の特定箇所にトナー消費帯を印字するようにした場合、トナー消費帯を印字する分だけ、ロール紙にユーザ画像が印字できる領域が少なくなってしまう。したがって、ロール紙にトナー消費帯を印字するようにすると、ロール紙を無駄に消費することになり、用紙コストを上昇させてしまう。
【０００８】
また、トナーのリフレッシュ動作を行うことを考慮しない場合であっても、ロール紙などの用紙（印刷媒体）に印字する画像に不良があった場合には、リフレッシュ動作後の空白部と同様に、その不良がある画像を除去する必要があり、手間がかかるという問題があった。
【０００９】
本発明は、印刷媒体の無駄な消費を抑えて印刷効率を向上させることができる画像形成装置、画像形成システム及び画像形成方法を提供することを目的とする。
【課題を解決するための手段】
【００１０】
本発明の画像形成装置は、トナーを使用して印刷媒体に複数回の印字を行ってユーザ画像を形成させる画像形成部と、画像形成部で印刷媒体上に形成された画像を検品する検品部とを備える。
ここで、画像形成部は、検品部で不良を検出した場合に、その不良を検出した印刷媒体の該当箇所への、画像形成部での次回以降の印字時に、ユーザ画像以外の別の画像を印字するようにした。
【００１１】
また、本発明の画像形成システムは、印刷媒体の搬送経路に直列に配置され、それぞれ異なる色のトナーを使用して印刷媒体に印字を行ってユーザ画像を形成させる複数の画像形成装置と、複数の画像形成装置で印刷媒体上に形成された画像を検品する少なくとも１つの検品装置とを備える。
ここで、検品装置で不良を検出した場合に、その不良を検出した印刷媒体の該当箇所への次段以降の画像形成装置での印字時に、ユーザ画像以外の別の画像を印字するようにした。
【００１２】
また、本発明の画像形成方法は、トナーを使用して印刷媒体に複数回の印字を行ってユーザ画像を形成させる画像形成処理と、画像形成処理で前記印刷媒体上に形成された画像を検品する検品処理と、検品処理で不良を検出した場合に、その不良を検出した印刷媒体の該当箇所への、画像形成処理による次回以降の印字時に、ユーザ画像以外の別の画像を印字させる制御処理とを含む。
【発明の効果】
【００１３】
本発明によれば、複数回の印字を行ってユーザ画像を形成させる際のいずれかの印字時に不良があった場合でも、その後の印字時にユーザ画像を印字することで、不良があった箇所を有効に活用して、印字効率の向上などを行うことができる。例えば、不良があった箇所にトナー消費帯を印字することで、トナーのリフレッシュ動作を実行するまでのロール紙の連続印刷距離を延長することが可能になる。また、不良があった箇所に別の画像が印字されることで、不良があった箇所を容易に発見できるようになり、不良箇所を除去する際の作業効率が向上する。
【図面の簡単な説明】
【００１４】
【図１】本発明の一実施の形態例による画像形成システムの例を示す構成図である。
【図２】本発明の一実施の形態例によるプリントコントローラのハードウェア構成例を示すブロック図である。
【図３】本発明の一実施の形態例による画像形成処理の例を示すフローチャートである。
【図４】本発明の一実施の形態例によるロール紙への印字例を示す図である。
【図５】本発明の一実施の形態例によるロール紙のリフレッシュ動作（空白及び補正）が行われる状態（Ｂ）を、従来例（Ａ）と比較した図である。
【図６】本発明の一実施の形態例による予測処理の例を示すフローチャートである。
【図７】本発明の一実施の形態例による連続印刷距離の延長の可否を判断する例を示すフローチャートである。
【図８】本発明の他の実施の形態例（変形例１）による画像形成システムの例を示す構成図である。
【図９】本発明の他の実施の形態例（変形例２）による画像形成システムの例を示す構成図である。
【図１０】本発明の他の実施の形態例（変形例３）による画像形成装置の例を示す構成図である。
【発明を実施するための形態】
【００１５】
以下、本発明の一実施の形態例を、添付図面を参照して順に説明する。
【００１６】
［１．画像形成システムの構成例］
図１は、本実施の形態例の画像形成システムの構成例を示す。
本実施の形態例の画像形成システムは、ロール紙給紙装置１０、画像形成装置２０、３０、印字画像検品装置２１、３１、ロール紙巻取り装置４０、プリントコントローラ５０、及び表示装置５１を備える。
２台の画像形成装置２０、３０は直列に配置され、ロール紙給紙装置１０から給紙されるロール紙１００が、２台の画像形成装置２０、３０を順に通過した後、ロール紙巻取り装置４０に送られ、ロール紙巻取り装置４０でロール紙１００が巻き取られる。
【００１７】
１台目の画像形成装置２０は、白色（White）の印字部（画像形成部）２０ａを備える。２台目の画像形成装置３０は、シアン（Cyan）、マゼンタ（Magenta）、イエロ（Yellow）、キー・プレート（Key plate：例えば黒色）の４色の印字部（画像形成部）３０ａを備える。各印字部２０ａ、３０ａは、静電気を用いて画像を形成する電子写真方式を採用しており、対応した色のトナーを使用して、ロール紙１００に画像の印字（印刷）を行う。以下の説明では、１台目の画像形成装置２０が印字する色を特色と称し、２台目の画像形成装置３０が印字する色をＣＭＹＫと称する。
画像形成装置２０の印字部２０ａでロール紙１００に印字した画像は、印字画像検品装置２１で検品処理される。画像形成装置３０の印字部３０ａでロール紙１００に印字した画像は、印字画像検品装置３１で検品処理される。
【００１８】
ロール紙給紙装置１０と、各画像形成装置２０、３０と、各印字画像検品装置２１、３１と、ロール紙巻取り装置４０は、プリントコントローラ５０により制御される。すなわち、各画像形成装置２０、３０には、プリントコントローラ５０から印字を行う画像のデータが供給される。そして、各画像形成装置２０、３０は、プリントコントローラ５０の指令に基づいて、供給された画像の印字処理を行う。また、各印字画像検品装置２１、３１での検品結果の情報が、プリントコントローラ５０に供給される。ロール紙給紙装置１０での給紙やロール紙巻取り装置４０での巻き取りについても、プリントコントローラ５０が制御する。
【００１９】
なお、２台の画像形成装置２０、３０で画像の印字を行う場合には、プリントコントローラ５０の制御で、ロール紙１００の搬送に連動して印字位置を設定し、ロール紙１００上の適正な位置に各色の画像が重なって形成されるようにしている。また、１台目の画像形成装置２０が白色の印字を行うのは一例であり、その他の色の印字を行うようにしてもよい。この１台目の画像形成装置２０で印字する色は、例えば用紙（印刷媒体）の下地となる色（特色）であり、その特色の上に、２台目の画像形成装置３０がＣＭＹＫの色のトナーによるユーザ画像を印字する。
【００２０】
プリントコントローラ５０は、１台目の画像形成装置２０に接続された印字画像検品装置２１で不良画像を検出すると、不良画像が印字された箇所に、２台目の画像形成装置３０で、本来印字する画像（ユーザ画像）とは異なる画像を印字する制御を行う。この不良画像発生時のプリントコントローラ５０による制御処理の詳細は後述する。
【００２１】
プリントコントローラ５０には、表示装置５１が接続され、各画像形成装置２０、３０における画像形成状態が表示装置５１に表示される。なお、表示装置５１には、例えば後述するトナーのリフレッシュ動作のために印字が停止するまでのロール紙１００の連続印刷距離や、ジョブ全体でのリフレッシュ動作を行う回数が表示されるようにしてもよい。
また、プリントコントローラ５０は、ネットワーク６０を介して外部のサーバ７０とデータ転送を行うことができる。
【００２２】
［２．プリントコントローラのハードウェア構成例］
［２．ハードウェア構成例］
図１に示すプリントコントローラ５０は、例えば、図２に示すコンピュータ装置Ｃにより構成することができる。
図２に示すコンピュータ装置Ｃは、バスＣ８にそれぞれ接続されたＣＰＵ（Central Processing Unit：中央処理装置）Ｃ１、ＲＯＭ（Read Only Memory）Ｃ２、及びＲＡＭ（Random Access Memory）Ｃ３を備える。さらに、コンピュータＣは、不揮発性ストレージＣ４、ネットワークインタフェースＣ５、入力装置Ｃ６、及び表示装置Ｃ７を備える。
【００２３】
ＣＰＵ  Ｃ１は、プリントコントローラ５０が行う機能を実現するソフトウェアのプログラムコードをＲＯＭ  Ｃ２から読み出して実行する演算処理部である。
ＲＡＭ  Ｃ３には、演算処理の途中に発生した変数やパラメータ等が一時的に書き込まれる。プリントコントローラ５０による制御処理の実行は、主にＣＰＵ  Ｃ１がプログラムコードを実行することにより実現される。
【００２４】
入力装置Ｃ６には、例えば、キーボード、マウスなどが用いられ、この入力装置Ｃ６を用いて、ユーザが印刷するジョブの選択や、印刷条件の設定などの入力操作を行う。
表示装置Ｃ７は、例えば、液晶ディスプレイモニタであり、この表示装置Ｃ７によりコンピュータで実行される制御処理の結果が表示される。この表示装置Ｃ７は、図１に示す表示装置５１に相当する。
なお、入力装置Ｃ６と表示装置Ｃ７は、例えばタッチパネル付き表示装置として構成して、一体化してもよい。
【００２５】
不揮発性ストレージＣ４には、例えば、ＨＤＤ（Hard Disk Drive）、ＳＳＤ（Solid State Drive）などの大容量情報記憶媒体が用いられる。不揮発性ストレージＣ４には、プリントコントローラ５０が行う処理機能を実行するプログラムが記録される。
ネットワークインタフェースＣ５には、例えば、ＮＩＣ（Network Interface Card）などが用いられる。ネットワークインタフェースＣ５は、ＬＡＮ（Local Area Network）、専用線などを介して外部（例えば図１に示すサーバ７０）と各種情報の送受信を行う。
【００２６】
なお、プリントコントローラ５０を図２に示すコンピュータ装置で構成するのは一例であり、コンピュータ装置以外のその他の演算処理装置で構成してもよい。例えば、プリントコントローラ５０が行う機能の一部または全部を、ＦＰＧＡ（Field Programmable Gate Array）やＡＳＩＣ（Application Specific Integrated Circuit）等の専用のハードウェアによって実現してもよい。
また、画像形成装置２０、３０や印字画像検品装置２１、３１の制御構成についても、図２に示すコンピュータ装置や、上述したＦＰＧＡ又はＡＳＩＣで構成してもよい。
【００２７】
［３．画像形成処理の例］
図３は、本実施の形態例の画像形成システムによる画像形成時の制御処理の例を示すフローチャートである。
この図３のフローチャートに示す処理は、プリントコントローラ５０の制御により実行される。すなわち、まずプリントコントローラ５０は、ユーザにより指定された印刷ジョブの印刷開始を各画像形成装置２０、３０に対して指示し、各画像形成装置２０、３０における印字の開始を指示する（ステップＳ１１）。この画像形成は、ユーザにより指定された画像（ユーザ画像）を繰り返しロール紙１００に印字するものである。
【００２８】
ここで、プリントコントローラ５０は、ユーザにより指定された印刷ジョブを解析して、ユーザ画像の印字率から、トナーのリフレッシュ動作を行うまでの連続印刷可能距離を演算する（ステップＳ１２）。ここでは、それぞれの色の印字率が低いほど、印字部２０ａ、３０ａでトナーの滞留による劣化が生じるため、トナーのリフレッシュ動作を行うまでの連続印刷可能距離が短くなる。本実施の形態例の画像形成システムの場合、白色、シアン、マゼンタ、イエロ、キー・プレートの５色のトナーを使用するが、トナーのリフレッシュ動作を行うまでの連続印刷可能距離の演算は、印字率が最も低い色のトナーを基準に行う。
【００２９】
そして、プリントコントローラ５０は、ロール紙給紙装置１０からの給紙を開始し、１台目の画像形成装置２０で特色（白色）の印字を実行する（ステップＳ１３）。そして、この１台目の画像形成装置２０での特色の印字後に、プリントコントローラ５０は、印字画像検品装置２１における検品を実行する（ステップＳ１４）。
【００３０】
この印字画像検品装置２１における検品で、プリントコントローラ５０は、印字不良を検知したか否かを判断する（ステップＳ１５）。このステップＳ１５で、印字不良を検知しないと判断した場合（ステップＳ１５のＮＯ）には、プリントコントローラ５０は、ロール紙１００の特色が印字された箇所に、２台目の画像形成装置３０でＣＭＹＫのトナーによる印字を実行する（ステップＳ１６）。その後、プリントコントローラ５０は、印刷ジョブで指定された印刷距離だけ印刷したか否かを判断する（ステップＳ２０）。ステップＳ２０で、指定された印刷距離だけ印刷して印刷ジョブが終了したと判断したとき（ステップＳ２０のＹＥＳ）、プリントコントローラ５０は、各画像形成装置２０、３０での印刷を終了する。
【００３１】
そして、ステップＳ２０で印刷ジョブが終了していないと判断したとき（ステップＳ２０のＮＯ）、プリントコントローラ５０は、現在のロール紙１００の印刷距離が、ステップＳ１２で設定した連続印刷可能距離に到達したか否かを判断する（ステップＳ２１）。このステップＳ２１で、連続印刷可能距離に到達していないと判断した場合（ステップＳ２１のＮＯ）、プリントコントローラ５０は、ステップＳ１３の処理に戻り、連続印刷可能距離に到達するまでユーザ画像の印字を繰り返す。
【００３２】
また、ステップＳ１５で、印字不良を検知したと判断した場合（ステップＳ１５のＹＥＳ）、プリントコントローラ５０は、印字不良を検知した箇所に画像形成装置３０でＣＭＹＫのトナーによるトナー消費帯を印字し、不良発生箇所以外の箇所にユーザ画像を印字する（ステップＳ１７）。トナー消費帯の具体例については後述するが、本来ユーザ画像を印字する領域の少なくとも一部に、ＣＭＹＫのトナーを全面的に印字する。この印字は、トナーを大量に消費する印字状態になる。トナー消費帯を画像形成装置３０で印字する際の、トナー消費帯の印字範囲は、プリントコントローラ５０からの指示により設定される。
【００３３】
続いて、プリントコントローラ５０は、ステップＳ１７でトナー消費帯を印字させた際の印字状態に基づいて、各色の印字率を更新し、更新した印字率に基づいて、トナーのリフレッシュ動作を行うまでの連続印刷可能距離を演算で求める（ステップＳ１８）。ここでは、トナー消費帯を印字した分だけ印字率が高くなっているので、ステップＳ１２で演算した連続印刷可能距離が延長されることになる。
そして、プリントコントローラ５０は、トナーのリフレッシュ動作を行うまでの連続印刷可能距離を、ステップＳ１８で演算された連続印刷可能距離に更新させる（ステップＳ１９）。
【００３４】
ステップＳ１９で連続印刷可能距離を更新した後、プリントコントローラ５０は、ステップＳ２０で印刷ジョブが終了したか否かを判断し、印刷ジョブが終了した場合には（ステップＳ２０のＹＥＳ）、印刷処理を終了する。そして、印刷ジョブが終了していない場合（ステップＳ２０のＮＯ）には、プリントコントローラ５０は、現在のロール紙１００の印刷距離が、ステップＳ１９で更新した連続印刷可能距離に到達したか否かを判断する（ステップＳ２１）。このステップＳ２１で、連続印刷可能距離に到達していないと判断した場合（ステップＳ２１のＮＯ）、プリントコントローラ５０は、ステップＳ１３の処理に戻り、連続印刷可能距離に到達するまでユーザ画像の印字を繰り返す。
【００３５】
そして、ステップＳ２１で、連続印刷可能距離に到達したと判断したとき、プリントコントローラ５０は、ユーザ画像の印字を停止して、２台の画像形成装置２０、３０でトナーのリフレッシュ動作を実行する（ステップＳ２２）。このリフレッシュ動作の実行後に、プリントコントローラ５０は、ステップＳ１３の処理に戻り、連続印刷可能距離に到達するまでユーザ画像の印字を繰り返す。なお、ステップＳ２２でトナーのリフレッシュ動作を実行した後に、設定される連続印刷可能距離は、ステップＳ１２で演算したものある。
【００３６】
［４．印字状態の例］
図４は、ロール紙１００に印字した状態の一例を示す。
図４に示すロール紙１００は、右から左に搬送されて、２台の画像形成装置２０、３０で印字が行われる。ここでは、ロール紙１００の横幅（図４での上下方向）を３つの領域に分割して、第１印刷領域１１０、第２印刷領域１２０、第３印刷領域１３０を設定する。そして、２台の画像形成装置２０、３０は、それぞれの領域１１０、１２０、１３０に個別のユーザ画像１１１、１２１、１３１を、搬送距離ａごとに繰り返し印字する。図４の例の場合、１台目の画像形成装置２０は、ユーザ画像１１１、１２１、１３１の下地に相当する特色（白色）の印字をほぼ全面に行い、図４に示す図形のユーザ画像１１１、１２１、１３１は、２台目の画像形成装置３０により印字される。
このようにしてロール紙１００に繰り返し印字されたユーザ画像１１１、１２１、１３１は、例えば商品に貼り付けられるラベルとして使用される。
【００３７】
ここで、繰り返し印字されたユーザ画像１１１、１２１、１３１の内で、図４に破線の丸で示すように、特定箇所１１１ａ、１２１ａ、１３１ａが、印字画像検品装置２１での検品で特色（白色）の印字画像に不良ありと判定されたとする。
このとき、２台目の画像形成装置３０では、特定箇所１１１ａ、１２１ａ、１３１ａに、ユーザ画像１１１、１２１、１３１とは異なる非ユーザ画像（トナー消費帯）１４１、１４２、１４３を印字する。
【００３８】
例えば、ロール紙１００の第１印刷領域１１０には、飛行機の図形のユーザ画像１１１が距離ａごとに繰り返し印字される。しかし、不良が発生した特定箇所１１１ａでは、そのユーザ画像１１１が印字されず、代わりにトナー消費帯である非ユーザ画像１４１が印字される。
また、ロール紙１００の第２印刷領域１２０には、ハートマークのユーザ画像１２１が距離ａごとに繰り返し印字される。しかし、不良が発生した特定箇所１２１ａでは、そのユーザ画像１１１が印字されず、代わりにトナー消費帯である非ユーザ画像１４２が印字される。
さらに、ロール紙１００の第３印刷領域１３０には、顔図形のユーザ画像１３１が距離ａごとに繰り返し印字される。しかし、不良が発生した特定箇所１３１ａでは、そのユーザ画像１３１が印字されず、代わりにトナー消費帯である非ユーザ画像１４３が印字される。
【００３９】
トナー消費帯である非ユーザ画像１４１、１４２、１４３は、不良が発生した特定箇所１１１ａ、１２１ａ、１３１ａの範囲を、ＣＭＹＫのトナーで塗りつぶすような、トナーを強制的に消費させる画像である。但し、図４の例では、トナー消費帯である非ユーザ画像１４１、１４２、１４３は、特定箇所１１１ａ、１２１ａ、１３１ａの中で、印字部３０ａの主走査方向（ロール紙１００の幅方向）で、トナー消費帯の長さを変化させている。これは、主走査方向のどの箇所についても、印字率が一定値以上の高い値になるように、トナー消費帯の長さを設定したためである。
【００４０】
すなわち、例えば飛行機の図形のユーザ画像１１１が印字される第１印刷領域１１０では、飛行機の胴体の図形が印字される箇所は印字率が高いため（つまり空白が少ないため）、トナー消費帯１４１を比較的短くして、印字率を調整している。これに対して、飛行機の翼の図形などが印字される箇所は印字率が低いため（つまり空白が多いため）、トナー消費帯１４１を比較的長くして、印字率を高めるように調整している。
第２印刷領域１２０の不良箇所に印字するトナー消費帯１４２や、第３印刷領域１３０の不良箇所に印字するトナー消費帯１４３についても、各領域の主走査方向の各箇所での印字率に応じて、トナー消費帯１４２，１４３の長さを個別に設定し、どの箇所についても印字率を高めるように調整している。
【００４１】
このようにして、印字部３０ａの主走査方向の全ての箇所で、トナー消費帯の長さを個別に設定することで、印字部３０ａの主走査方向の全ての箇所で印字率が一定値以上の高い値になるように調整することができる。すなわち、不良を検出した領域１１０ａ、１２０ａ、１３０ａを複数に分割した分割領域ごとに、トナー消費帯の印字の有無を設定するようにして、全体として印字率が高くなるように調整することができる。
印字率が高い値になることで、トナーのリフレッシュ動作を行うまでの連続印刷可能距離を、トナー消費帯１４１、１４２、１４３を印字しない場合よりも延長することができるようになる。
【００４２】
図５は、印字画像検品装置２１での検品で不良を検出しなかった場合の連続印刷可能距離の例（図５Ａ）と、不良を検出してトナー消費帯を印字した場合の連続印刷可能距離の例（図５Ｂ）とを比較した図である。ここでは、１つの印刷ジョブで、ロール紙１００に９００ｍ以上の印刷を行うものとする。
【００４３】
図５Ａに示す不良を検出しなかった場合には、ロール紙１００を３００ｍ印字するごとに、トナーのリフレッシュ動作（補正動作）を行うための空白箇所が発生している。
一方、図５Ｂに示すように、印字画像検品装置２１での検品で不良を検出してトナー消費帯を印字した場合には、例えば１回目の連続印刷可能距離が５００ｍに延長され、２回目の連続印刷可能距離が４００ｍに延長される。したがって、９００ｍ印刷する間に、従来は３回のリフレッシュ動作が必要であったものが、２回のリフレッシュ動作になり、それだけ空白箇所を少なくすることができる。
【００４４】
連続印刷を行う上で、トナーのリフレッシュ動作（補正動作）のための空白箇所が少なくなることで、印刷ジョブ完了後に、空白箇所を除去する作業を行う箇所が少なくなり、それだけ印刷作業効率が向上すると共に、ロール紙１００の無駄な領域の発生を減らすことができ、印刷コストの低減につながる。
また、図４に示すようなトナー消費帯（非ユーザ画像）１４１、１４２、１４３を不良箇所に印字するようにしたことで、印刷後のロール紙１００の不良発生箇所が確実に判るようになり、不良発生箇所を除去する作業が容易に行えるようになる。
【００４５】
なお、図５に示すような連続印刷可能距離や、ジョブ全体でのトナーのリフレッシュ動作（補正動作）が行われる回数は、表示装置５１が表示して、印字作業を行うユーザに通知してもよい。この場合の表示としては、数値で連続印刷可能距離や回数を表示してもよいが、図５に示すような印刷ジョブ全体での連続印刷距離と、印刷中断回数を、グラフや数値で表示してもよい。また、次にリフレッシュ動作のために印刷中断するまでのリアルタイムでの連続印刷距離を表示装置５１が表示してもよい。
【００４６】
［５．連続印刷距離を予測する例］
図３のフローチャートで説明した処理では、印刷ジョブの実行中における不良箇所の発生ごとに連続印刷可能な距離を延長するようにした。
これに対して、プリントコントローラ５０は、過去の印刷ジョブの実行中における不良の発生状況から、印刷ジョブ実行時の不良発生率を予測して、連続印刷距離を予測するようにしてもよい。
【００４７】
図６は、この場合のプリントコントローラ５０が行う処理の流れを示すフローチャートである。
まず、プリントコントローラ５０は、印刷ジョブを実行する場合に、画像形成装置２０での過去の不良発生状況を判断する（ステップＳ３１）。この判断としては、直前に実行した印刷ジョブでの不良発生率の判断や、過去のある程度の期間における不良発生率の判断などが想定される。
【００４８】
そして、プリントコントローラ５０は、ステップＳ３１で判断した過去の不良発生状況に基づいて、今後実行する印刷ジョブでのユーザ画像の不良発生率を予測する（ステップＳ３２）。この予測した不良発生率で不良が発生することを想定して、プリントコントローラ５０は、トナーのリフレッシュ動作を行うまでの推定の連続印刷可能距離を算出する（ステップＳ３３）。算出した推定の連続印刷可能距離は、例えば表示装置５１に表示される。
【００４９】
なお、不良発生率の予測や、推定した連続印刷可能距離の算出は、プリントコントローラ５０が行う代わりに、画像形成システムのプリントコントローラ５０とネットワーク６０を介して接続されたサーバ７０が行うようにしてもよい。サーバ７０は、複数の画像形成システムでの印刷状況を監視しており、その監視状況に基づいて、より正確な不良発生率の予測を行うことができる。
【００５０】
また、図６のフローチャートに示す予測処理は、印刷ジョブを開始した後に、その印刷ジョブ実行中の不良発生率に基づいて、プリントコントローラ５０が実行するようにしてもよい。
【００５１】
［６．連続印刷距離の延長の選択例］
図３のフローチャートで説明した処理では、印刷ジョブの実行中における不良箇所の発生があると、常に連続印刷可能な距離を延長するようにした。
これに対して、プリントコントローラ５０は、印刷ジョブの実行状況に応じて、連続印刷距離の延長処理を行わないようにしてもよい。
【００５２】
すなわち、図７のフローチャートに示すように、プリントコントローラ５０は、不良の発生で連続印刷距離の延長を算出したとき（図３のステップＳ１９での処理）、現在の印刷ジョブ全体から、トナーのリフレッシュ動作を行うために空白が発生する回数が減少するか否かを判断する（ステップＳ４１）。ステップＳ４１で、空白が発生する回数が減少すると判断した場合には（ステップＳ４１のＹＥＳ）、プリントコントローラ５０は、該当する連続印刷距離の延長処理を行う（ステップＳ４２）。
【００５３】
また、ステップＳ４１で、空白が発生する回数が減少しないと判断した場合には（ステップＳ４１のＮＯ）、プリントコントローラ５０は、該当する連続印刷距離の延長処理を実行しない（ステップＳ４３）。ここで連続印刷距離の延長処理を実行しないケースとしては、印刷ジョブの内の最終のリフレッシュ動作のために、延長してもリフレッシュ動作を行う回数に変化がない場合が想定される。
【００５４】
また、図７のフローチャートに示す処理以外の要因で、連続印刷距離の延長処理を実行しない場合も考えられる。
すなわち、図３のステップＳ１９の処理で算出した連続印刷距離の延長量が、予めプリントコントローラ５０に設定された閾値以下の比較的小さな延長量である場合には、連続印刷距離の延長を実行しないようにしてもよい。
【００５５】
なお、この場合の閾値の設定については、表示装置５１での表示に基づいて、ユーザが行うようにしてもよい。
また、ステップＳ１９での処理で連続印刷距離の延長量を算出したとき、表示装置５１が延長の可否をユーザに問い合わせる表示を行って、その表示に基づいたユーザ操作があったときに、プリントコントローラ５０は、連続印刷距離を延長するようにしてもよい。
【００５６】
［７．画像形成システムの別の例］
図１に示す画像形成システムでは、２台の画像形成装置２０、３０を直列に配置したシステムとした。
これに対して、本発明は、より多くの台数の画像形成装置が直列に配置された画像形成システムに適用してもよい。
例えば、図８に示すように、画像形成システムとして、ロール紙給紙装置２１０、５台の画像形成装置２２０、２３０、２４０、２５０、２６０、ロール紙巻取り装置２７０を直列に配置した構成としてもよい。
【００５７】
図８に示す画像形成システムは、ロール紙給紙装置２１０から給紙されたロール紙１００が、５台の画像形成装置２２０、２３０、２４０、２５０、２６０を順に通過して、それぞれの画像形成装置２２０、２３０、２４０、２５０、２６０で印字が行われ、ロール紙巻取り装置２７０で巻き取られる。
【００５８】
５台の画像形成装置２２０、２３０、２４０、２５０、２６０については、以下の構成である。
１台目の画像形成装置２２０は、白色（White）のトナーによる印字を行う印字部２２０ａを備える。画像形成装置２２０でロール紙１００に印字された画像は、印字画像検品装置２２１で検品される。
２台目の画像形成装置２３０は、キー・プレート（K）のトナーによる印字を行う印字部２３０ａを備える。画像形成装置２３０でロール紙１００に印字された画像は、印字画像検品装置２３１で検品される。
【００５９】
３台目の画像形成装置２４０は、イエロ（Y）のトナーによる印字を行う印字部２４０ａを備える。画像形成装置２４０でロール紙１００に印字された画像は、印字画像検品装置２４１で検品される。
４台目の画像形成装置２５０は、マゼンタ（M）のトナーによる印字を行う印字部２５０ａを備える。画像形成装置２５０でロール紙１００に印字された画像は、印字画像検品装置２５１で検品される。
５台目の画像形成装置２６０は、シアン（C）のトナーによる印字を行う印字部２６０ａを備える。画像形成装置２６０でロール紙１００に印字された画像は、印字画像検品装置２６１で検品される。
【００６０】
プリントコントローラ５０は、ロール紙給紙装置２１０と、５台の画像形成装置２２０−２６０と、ロール紙巻取り装置２７０を制御する。また、プリントコントローラ５０は、各印字画像検品装置２２１、２３１、２４１、２５１、２６１での検品結果を取得する。
【００６１】
この図８に示す構成において、最終段の印字画像検品装置２６１を除く他の印字画像検品装置２２１、２３１、２４１、２５１のいずれかでの検品で不良を検出すると、その不良を検出した箇所に、それよりも後段の画像形成装置２３０、２４０、２５０、２６０のいずれかで、トナー消費帯などの非ユーザ画像を印字する。
プリントコントローラ５０は、トナー消費帯などの印字で各色の印字率が変化したとき、トナーのリフレッシュ動作が行われるまでの連続印刷距離を更新する。
【００６２】
また、ここまで説明した実施の形態例では、印刷媒体としてロール紙としたが、その他の印刷媒体に印字する画像形成システムに適用してもよい。
図９に示す画像形成システムは、印刷媒体として枚葉紙（１枚ごとに断裁された用紙）に印刷する例を示す。
図９に示す画像形成システムは、２台の画像形成装置３２０、３３０を直列に接続している。給紙装置３１０から給紙された用紙（枚葉紙）は、２台の画像形成装置３２０，３３０を順に通過して、それぞれの画像形成装置３２０、３３０で印字が行われ、排紙トレイ３３２に排紙される。
【００６３】
１台目の画像形成装置３２０は、白色（W）のトナーによる印字を行う印字部３２０ａを備える。画像形成装置３２０で用紙に印字された画像は、印字画像検品装置３２１で検品されてから、２台目の画像形成装置３３０に搬送される。
２台目の画像形成装置３３０は、ＣＭＹＫのトナーによる印字を行う印字部３３０ａを備える。画像形成装置３３０で用紙に印字された画像は、印字画像検品装置３３１で検品されてから、排紙トレイ３３２に排紙される。
【００６４】
この図９に示す構成において、１台目の画像形成装置３２０の印字画像検品装置３２１での検品で不良を検出すると、その不良を検出した箇所に、それよりも後段の２台目の画像形成装置３３０で、トナー消費帯などの非ユーザ画像が印字される。
プリントコントローラ５０は、トナー消費帯などの印字で各色の印字率が変化したとき、トナーのリフレッシュ動作が行われるまでの連続印刷距離を更新する。
【００６５】
また、以上の説明では、複数台の画像形成装置を備えた画像形成システムに適用した例について説明したが、図１０に示すように、１台の画像形成装置で、１枚の印刷媒体（用紙）に複数の印字を行う場合に本発明を適用してもよい。
図１０に示すように、枚葉紙に印字を行う画像形成装置４００は、枚葉紙を反転させる機構を備え、印字部４００ａは、枚葉紙の表面と裏面を順に印字する。印字部４００ａは、例えばＣＭＹＫのトナーによる印字を行う。
そして、画像形成装置４００は、印字画像検品部４０１を備え、印字部４００ａで表面へ印字され、印字画像検品部４０１によって印字画像の検品が行われる。また、印字部４００ａで裏面へ印字された後にも、印字画像検品部４０１によって印字画像の検品が行われる。
【００６６】
この図１０に示す構成において、画像形成装置４００は、印字画像検品部４２１での表面の検品で不良が検出されると、その不良を検出した用紙の裏面に、トナー消費帯などの非ユーザ画像を印字する。
プリントコントローラ５０は、トナー消費帯などの印字で各色の印字率が変化すると、トナーのリフレッシュ動作が行われるまでの連続印刷距離を更新する。
【００６７】
［８．変形例］
なお、上述した実施の形態例では、不良箇所に印字する画像として、トナー消費帯とした。これに対して、それ以外の画像を、ユーザ画像の代わりに不良箇所に印字するようにしてもよい。例えば、不良箇所に印字するユーザ画像以外の画像として、不良箇所であることを文字や図形で明示する画像としてもよい。この場合、不良箇所であることを文字や図形で明示する画像は、トナーの消費量が増えるように、大きな文字や図形などの画像としてもよい。
【００６８】
また、不良箇所にトナー消費帯などの他の画像を印字する場合には、該当する不良箇所の領域が明確に判ると共に、その不良箇所を後の作業で除去することが容易にできるように、不良箇所を断裁で除去する際の切り取り線を印字するようにしてもよい。
【００６９】
また、図１や図８に示す構成では、全ての画像形成装置が印字画像検品装置を備えるようにした。これに対して、複数台直列に接続された内の、少なくとも１台目の画像形成装置で印字された画像を検品する印字画像検品装置が配置されていれば、本発明の画像形成システム（画像形成装置）を実現することができる。すなわち、２台目の画像形成装置で印字された画像を検品する印字画像検品装置は省略してもよい。
【００７０】
また、上述した実施の形態では、画像形成装置に接続されたプリントコントローラ５０での制御に基づいて、トナー消費帯などの非ユーザ画像の印字を行うようにした。これに対して、トナー消費帯などの非ユーザ画像の印字の制御は、画像形成装置に内蔵されたコントローラにより行うようにしてもよい。この場合、例えばそれぞれの画像形成装置での印字状態や検品結果は、画像形成システム内の他の画像形成装置に伝送して、画像形成システム内のそれぞれの画像形成装置が備えるコントローラが、分散してトナー消費帯などの印字の制御を実行するようにしてもよい。
【符号の説明】
【００７１】
１０…ロール紙給紙装置、２０…画像形成装置（White）、２０ａ…印字部、２１…印字画像検品装置、３０…画像形成装置（CMYK）、３０ａ…印字部、３１…印字画像検品装置、４０…ロール紙巻取り装置、５０…プリントコントローラ、５１…表示装置、６０…ネットワーク、７０…サーバ、１００…ロール紙、１１０…第１印刷領域、１１１…ユーザ画像、１２０…第１印刷領域、１２１…ユーザ画像、１３０…第１印刷領域、１３１…ユーザ画像、１４１，１４２，１４３…非ユーザ画像（トナー消費帯）、２１０…ロール紙給紙装置、２２０…画像形成装置（White）、２２０ａ…印字部、２２１…印字画像検品装置、２３０…画像形成装置（K）、２３０ａ…印字部、２３１…印字画像検品装置、２４０…画像形成装置（Y）、２４０ａ…印字部、２４１…印字画像検品装置、２５０…画像形成装置（M）、２５０ａ…印字部、２５１…印字画像検品装置、２６０…画像形成装置（C）、２６０ａ…印字部、２６１…印字画像検品装置、２７０…ロール紙巻取り装置、３１０…ロール紙給紙装置、３２０…画像形成装置（White）、３２０ａ…印字部、３２１…印字画像検品装置、３３０…画像形成装置（CMYK）、３３０ａ…印字部、３３１…印字画像検品装置、３３２…排紙トレイ、４００…画像形成装置、４００ａ…印字部、４０１…印字画像検品部、４０２…排紙トレイ、Ｃ…コンピュータ装置、Ｃ１…中央制御ユニット（ＣＰＵ）、Ｃ２…ＲＯＭ、Ｃ３…ＲＡＭ、Ｃ４…不揮発性ストレージ、Ｃ５…ネットワークインタフェース、Ｃ６…入力装置、Ｃ７…表示装置
【図１】
2020170133.tif 000003
【図２】
2020170133.tif 000004
【図３】
2020170133.tif 000005
【図４】
2020170133.tif 000006
【図５】
2020170133.tif 000007
【図６】
2020170133.tif 000008
【図７】
2020170133.tif 000009
【図８】
2020170133.tif 000010
【図９】
2020170133.tif 000011
【図１０】
2020170133.tif 000012